(57)【要約】【課題】色純度調整の一環として行われるＹＰＢ（Ｙｏｋｅ  Ｐｕｌｌ  Ｂａｃｋ）調整を経て受像管に組み付けられる偏向ヨークにおいて、偏向電力を低減すること。【解決手段】水平偏向コイル３０において、上部水平偏向コイル３２と下部水平偏向コイル３４の各々を、樹脂枠（絶縁枠）２８内面に固定される固定コイル３６，４０と樹脂枠２８内面に対して可動な可動コイル３８，４２とで構成する。可動コイル３８，４２は付勢部材４４を介して、樹脂枠２８に取り付けられる。可動コイル３８，４０は、付勢部材４４によって、受像管の管軸に向かう向きに弾性的に付勢される。【選択図】          図３
2004355855.tif 000002
【特許請求の範囲】
【請求項１】
受像管の外周に配される偏向ヨークであって、
漏斗状をした樹脂枠と、
前記樹脂枠の内面に沿ってループ状に電線が複数回巻回されてなり、前記受像管の管軸を挟んで対向して設けられる一対の偏向コイルとを有し、
前記各偏向コイルは、最外周の巻線部分を含み前記樹脂枠内面に固定される固定コイルと、前記樹脂枠内面に対して可動な可動コイルとから構成されていて、
前記可動コイルを前記管軸に向けて付勢する付勢手段を備えることを特徴とする偏向ヨーク。
【請求項２】
前記付勢手段は、
前記可動コイルが取り付けられる巻線取付部と、
前記巻線取付部を前記樹脂枠に対して弾性的に支持する弾性支持部とからなることを特徴とする請求項１記載の偏向ヨーク。
【請求項３】
前記付勢手段は、前記樹脂枠の一部が延出されてなる弾性部材からなることを特徴とする請求項１記載の偏向ヨーク。
【請求項４】
前記可動コイルと前記固定コイルとは、別個の電線で巻回されていることを特徴とする請求項１〜３のいずれか１項に記載の偏向ヨーク。
【請求項５】
請求項１〜４のいずれか１項に記載の偏向ヨークがカラー受像管の外周に配されてなることを特徴とするカラー受像管装置。
【発明の詳細な説明】
【０００１】
【発明の属する技術分野】
本発明は、偏向ヨークおよびカラー受像管装置に関し、特に、カラー受像管の外周に配される偏向ヨークの構造に関する。
【０００２】
【従来の技術】
カラー受像管装置の組み立ての際に、偏向ヨークは管軸方向前後に位置調整がなされる（例えば、特許文献１、特許文献２を参照。）。この調整は、色純度調整の一環として行われる。色純度調整とは、電子銃から射出されるＲ（赤）、Ｇ（緑）、Ｂ（青）に対応する各電子ビームを、対応する各色蛍光体に正しく当てて、カラー受像管面一様に色むらのないラスタが得られるようにするための調整である。
【０００３】
偏向ヨークの上記位置調整（以下「ＹＰＢ（Ｙｏｋｅ  Ｐｕｌｌ  Ｂａｃｋ）調整」と言う。）について説明する。先ず、偏向ヨークを受像管に嵌めて、前方（ファンネルの方へ）いっぱいに押し付ける。次に、単色（例えば、緑）のラスタが表示されるよう、すなわち、緑に対応する電子ビームのみが射出されるように設定した上で、偏向ヨークを徐々に後方に引き、管面全体が緑一色になるようにする。
【０００４】
続いて、ラスタを順次、別の単色に切り換えて、赤一色、青一色でも色むらがないことを確認する。色むらがあるときは、偏向ヨークを少し前後に微調整させる。
上記のようにして全ての単色で色むらの無いことが確認されると、その位置で偏向ヨークを受像管に固定する。
【０００５】
受像管と偏向ヨークとが理想的にできていれば（設計どおりに製造できるのであれば）、上記したようなＹＰＢ調整は不要であるが、実際の量産においてそのような精度を得ることは困難であり、また現実的ではない。そこで、偏向ヨークの受像管に対する管軸方向の取り付け位置を、ある位置（以下、「プルバック基準位置」と言う。）を基準として、その前後にある程度の余裕（当該取付位置の余裕の程度を「色純度余裕度」と言う。）をもたせ、この範囲で調整をするようにしているのである。色純度余裕度は、偏向ヨークを管軸方向へ移動し得る距離で表現され、一般的には２ｍｍ程度に設定されている。また、プルバック基準位置は、一般的に、偏向ヨークを前方いっぱいに押し付けた位置から管軸方向後方へ２ｍｍずらした位置に設定されている。すなわち、偏向ヨークは、当該偏向ヨークを前方いっぱいに押し付けた位置から管軸方向後方へ１〜３ｍｍ移動する範囲で位置決めされることとなる。
【０００６】
ここで、本明細書において、偏向ヨークの最終的な固定位置を「プルバック位置」と称し、偏向ヨークが前方（ファンネルの方）へいっぱいに押し付けられる位置からプルバック位置までの管軸方向の距離を「プルバック距離」と称することとする。
【０００７】
【特許文献１】
特開平１０−１２５２３５号公報
【０００８】
【特許文献２】
特開平１１−３０６９８６号公報
【０００９】
【発明が解決しようとする課題】
上述したように、ＹＰＢ調整においてプルバック位置は、プルバック距離１〜３ｍｍの範囲で決定されることとなるので、偏向ヨークは受像管との間に相応の隙間が生じた状態で固定される。そして、当該隙間が生じることを前提として、偏向電力も設定されている。
【００１０】
本発明は、上記した背景に鑑み、ＹＰＢ調整を経て受像管に組み付けられる偏向ヨークであって、偏向電力の低減が可能な偏向ヨーク、および当該偏向ヨークを備えたカラー受像管装置を提供することを目的とする。
【００１１】
【課題を解決するための手段】
上記の目的を達成するため、本発明に係る偏向ヨークは、受像管の外周に配される偏向ヨークであって、漏斗状をした樹脂枠と、前記樹脂枠の内面に沿ってループ状に電線が複数回巻回されてなり、前記受像管の管軸を挟んで対向して設けられる一対の偏向コイルとを有し、前記各偏向コイルは、最外周の巻線部分を含み前記樹脂枠内面に固定される固定コイルと、前記樹脂枠内面に対して可動な可動コイルとから構成されていて、前記可動コイルを前記管軸に向けて付勢する付勢手段を備えることを特徴とする。
【００１２】
ここで、前記付勢手段は、前記可動コイルが取り付けられる巻線取付部と、前記巻線取付部を前記樹脂枠に対して弾性的に支持する弾性支持部とからなることとすることができる。
あるいは、前記付勢手段は、前記樹脂枠の一部が延出されてなる弾性部材からなることとすることができる。
【００１３】
また、前記可動コイルと前記固定コイルとは、別個の電線で巻回されていることとすることもできる。
上記の目的を達成するため、本発明に係るカラー受像管装置は、上記したいずれかの偏向ヨークがカラー受像管の外周に配されてなることを特徴とする。
【００１４】
【発明の実施の形態】
以下、本発明の実施の形態について、図面を参照しながら説明する。
図１は、実施の形態に係るカラー受像管装置１０の概略側面図である。なお、カラー受像管装置１０は、３６インチ型、アスペクト比１６：９、偏向角１０２°の受像管装置である。カラー受像管装置１０は、内面に蛍光体スクリーンが形成された前面平面パネル（以下、単に「パネル」と言う。）１２とファンネル１４とが接合されてなるガラスバルブ１６、前記ファンネル１４のネック部内に設置されたインライン型電子銃１８、ファンネル１４の外周に配された偏向ヨーク２０、およびコンバーゼンスヨーク２２とを有する。ファンネル１４は、文字通り漏斗形状をしており、その外形断面は、円形をしたネック部から略長方形をした前面平面パネル１２までに滑らかに移行する略角錐形をしている。なお、図１は、上記各部材の位置関係を示すに留まり、偏向ヨーク２０をはじめとする各部材は非常に簡略化して表している。
【００１５】
本実施の形態において、Ｚ軸をカラー受像管の管軸に一致させて、ＸＹＺ直交座標系を採ることとする。この場合、Ｘ軸方向が水平方向、Ｙ軸方向が垂直方向となる。
図２は、カラー受像管装置１０を、原点からＸ軸方向に少しオフセットしたＹＺ平面で切断した上半部の一部を示す断面図である。
【００１６】
図２に示すように、偏向ヨーク２０は、フェライトコア２４の内側に、サドル型に巻回された垂直偏向コイル２６、樹脂枠２８、および水平偏向コイル３０がこの順に配されてなるものである。
偏向ヨーク２０は、ファンネル１４において、Ｚ軸に垂直な平面（ＸＹ平面）で切断した断面における外周形状が、ネック部からパネル１２方向に向けて、円形をした領域から略矩形をした領域に渡るファンネル１４の外周領域に設けられている。本明細書では、ファンネル１４において偏向ヨークが装着される前記外周領域を、「ヨーク装着部」と言うこととする。
【００１７】
図３は、偏向ヨーク２０を、パネル１２側から斜め方向にみた斜視図である。
樹脂枠２８は、ファンネル１４のヨーク装着部における外形に適合した漏斗状をしている。前記したように、樹脂枠２８の外面に垂直偏向コイル２６（図３では、不図示）が内面に水平偏向コイル３０が配されており、樹脂枠２８は、両偏向コイル２６、３０を電気的に絶縁する絶縁枠の役割を果たしている。
【００１８】
水平偏向コイル３０は、Ｚ軸を挟んで、上下に対向して設けられた一対の上部水平偏向コイル３２、下部水平偏向コイル３４から成る。
上部水平偏向コイル３２は、樹脂枠２８内面に固定される固定コイル３６と樹脂枠２８内面に対して可動な可動コイル３８とに分けられ、下部水平偏向コイル３４も同様に、樹脂枠２８内面に固定される固定コイル４０と樹脂枠２８内面に対して可動な可動コイル４２とに分けられる。
【００１９】
上部水平偏向コイル３２と下部水平偏向コイル３４とは、ＸＺ平面に関して対称形をなしておりいずれも同様な構成なので、上部水平偏向コイル３４を代表にしてその構成を説明することとする。
固定コイル３６は、別途、金型を用いて電線をサドル型に巻回することにより作成され、樹脂枠２８の内面に貼着されて固定される。なお、固定コイル３６の巻数は４０巻である。
【００２０】
可動コイル３８も、固定コイル３６とは別個に、金型を用いて電線を巻回して作成される。すなわち、可動コイル３８と固定コイル３６は、１本の電線（単線または撚線）を連続して巻回したものではなく、別個の電線を巻回して作成したものである。可動コイル３８の巻数は８巻である。
可動コイル３８は、付勢部材４４を介して、絶縁枠２８に取り付けられる。
【００２１】
図４（ａ）に、可動コイル３８が取り付けられた状態の付勢部材４４の平面図を、図４（ｂ）に、図４（ａ）におけるＡ・Ａ線断面図を示す。
付勢部材４４は、コイル取付部４６と弾性支持部４８とから構成される。コイル取付部４６は、樹脂製の平板からなり、その外形が可動コイル３８の内周形状に適合するように形成されている。弾性支持部４８は、前記樹脂製の平板の中央部分に開設された角孔の一辺から延出された略短冊状の弾性片からなり、後述するように、当該弾性支持部４８は、コイル取付部４６を樹脂枠２８に対して弾性的に支持する。弾性支持部４８の先端部分には爪４８Ａが形成されている。
【００２２】
可動コイル３８はコイル取付部４６に嵌め込まれ、コイル取付部４６の側面と可動コイル３８の内周部とが接着剤によって固定される。なお、コイル取付部４６の厚みＴ１と可動コイル３８の厚みＴ２とは、共に１ｍｍである。
可動コイル３８の固定された付勢部材４４は、樹脂枠２８に取り付けられる。
図２に戻り、樹脂枠２８には、前記爪４８Ａの形状に適合する凹部２８Ａが設けられている。爪４８Ａが凹部２８Ａに嵌め込まれ、接着剤によって固定されて、付勢部材４４が樹脂枠２８に取り付けられる。
【００２３】
なお、可動コイル３８と固定コイル３６は、絶縁枠２８上部に設けられた端子盤５０上で電気的に接続（結線）される。また、端子盤５０には、差動コイル５２が設けられている。
水平偏向コイル３０と差動コイル５２の結線図を図５に示す。
図５に示すように、固定コイル３６と可動コイル３８とが直列接続されて上部水平偏向コイル３２が構成され、固定コイル４０と可動コイル４２とが直列接続されて下部水平偏向コイル３４が構成されている。そして、上部水平偏向コイル３２と下部水平偏向コイル３４とは、差動コイル５２を介して並列接続されている。
【００２４】
上記の構成からなる偏向ヨーク２０は、ＹＰＢ調整を経て、カラー受像管に固定される。
既述したように、先ず、偏向ヨーク２０を受像管に嵌めて、Ｚ軸方向前方（パネル１２側）いっぱいに押し付ける。いっぱいに押し付けた状態を図６に示す。図６に示すように、付勢部材４４および可動コイル３８は、ファンネル１４の外周面に押され、弾性支持部４８は、図４（ｂ）に示す自然な状態から撓む。
【００２５】
図６に示す状態から、偏向ヨーク２０をＺ軸方向後方（電子銃側）に引いて、各色ラスターに色むらが生じない位置（プルバック位置）を決定し、その位置で偏向ヨーク２０をカラー受像管に対して固定する。
図２は、プルバック位置に在る偏向ヨーク２０の状態を示している。偏向ヨーク２０は、全体的には、Ｚ軸方向後方へ移動するものの、可動コイル３８（および、可動コイル４２）は、弾性支持部４８の復元力によって、Ｙ軸方向Ｚ軸に近づく向きに、ファンネル１４の外表面に当接するまで変位する。
【００２６】
従来は、ＹＰＢ調整でプルバック位置がいずれの位置になろうとも、水平偏向コイルのＺ軸（管軸）からの距離は変わらなかった。これに対し、実施の形態に係る偏向ヨーク２０では、可動コイル３８、４２は、プルバック位置に応じて、すなわち、ファンネル１４外周面との隙間の大きさに応じて、Ｙ軸方向Ｚ軸に近づく向きに変位する。換言すると、可動コイル３８、４２は、カラー受像管内の電子ビーム通過領域に近づくこととなる。その結果、必要な水平偏向磁界を発生するのに要する偏向電力をその分だけ低減することができる。
【００２７】
通常、ＹＰＢ調整において、プルバック位置は、プルバック距離２ｍｍの位置（プルバック基準位置）を中心としてその前後１ｍｍの範囲（すなわち、プルバック距離１〜３ｍｍの範囲）になる。すなわち、ＹＰＢ調整後において、偏向ヨーク内周とファンネル外周との間には、常に隙間が生じており、当該隙間の程度に応じて可動コイルがＺ軸（管軸）に近づくこととなる。したがって、近づく分だけ、従来の偏向ヨークよりも水平偏向電力の設計値を低減することが可能となる。
【００２８】
具体的には、実施の形態に係るカラー受像管装置では水平偏向パワーを２８．５ｍＨ・Ａ２に設定でき、同じ仕様で偏向ヨークにおける可動コイルを樹脂枠に貼着固定した従来型のカラー受像管装置の水平偏向パワーの設計値が３０ｍＨ・Ａ２であるのに対して、５％低減できることが確認されている。
以上、本発明を実施の形態に基づいて説明してきたが、本発明は、上記した形態に限らないことは勿論であり、例えば、以下のような形態とすることも可能である。
（１）上記実施の形態では、可動コイルを樹脂枠とは別個に設けられた付勢部材に取り付けることとしたが、これに限らず、図７に示すように、樹脂枠の一部が付勢部材となるように構成してもよい。図７は、当該他の実施の形態に係るカラー受像管装置６０を、原点を含むＹＺ平面で切断した上半部の一部を示す断面図である。なお、図７において、上記実施の形態に係るカラー受像管装置１０と同様の構成部材については、同じ符号を付し、その説明については省略する。
【００２９】
カラー受像管装置６０の有する樹脂枠６２は、上記ＹＺ平面で２分割され、２個の樹脂枠部品からなる２ピース構造をしており、組み立てられた状態で漏斗状となるものである。図７では、一方の（蛍光体スクリーン側から見て右側の）樹脂枠部品６４が現れている。なお、樹脂枠部品６４は、もう片方の樹脂枠部品（不図示）とＹＺ平面に関して対称形をしている。
【００３０】
樹脂枠部品６４は、本体部分から延出され、短冊状をした弾性片からなる弾性部材６６を有している。当該弾性部材６６の先端部分に可動コイル３８が接着剤によって貼着されている。
上記の構成によって、偏向ヨーク６０を受像管に嵌めて、Ｚ軸方向前方（パネル１２側）いっぱいに押し付けると、弾性部材６６は撓み、可動コイル３８は、図６に示したのと同様に、樹脂枠本体に近接することとなる。
【００３１】
この状態から、偏向ヨーク６０をＺ軸方向後方（電子銃側）に引いて、各色ラスターに色むらが生じない位置（プルバック位置）を決定し、その位置で偏向ヨーク６０をカラー受像管に対して固定する。
図７は、プルバック位置に在る偏向ヨーク６０の状態を示している。偏向ヨーク６０は、全体的には、Ｚ軸方向後方へ移動するものの、可動コイル３８は、弾性部材６６の復元力によって、Ｙ軸方向Ｚ軸に近づく向きに、ファンネル１４の外表面に当接するまで変位する。これにより、上述した実施の形態に係る偏向ヨーク２０と同様の効果が得られる。
（２）上記実施の形態では、上部水平偏向コイルおよび下部水平偏向コイルを、２の巻線群に分割して、すなわち、固定コイルと可動コイルとに分割して構成した。しかし、上・下部水平偏向コイルの分割数はこれに限らず、Ｎ（Ｎは２以上の整数）分割することもできる。また、各巻線群における電線の巻数も自由に定め得る。さらに、Ｎ個の巻線群の内、いずれの巻線群を樹脂枠（絶縁枠）に固定し（固定コイルとし）、いずれの巻線群を固定された巻線群から離間するようにする（可動コイルとする）かも任意である。Ｎ分割された巻線群の内、少なくとも一の巻線群が可動コイルになっていればよいのである。
【００３２】
ただし、最外周の巻線群だけは、固定コイルにする。最外周の巻線群を可動コイルとすると、ＹＰＢ調整をした際に、上・下部水平偏向コイル間で、当該可動コイル同士が接触（衝突）してしまうからである。要は、上・下部水平偏向コイルにおいて、最外周の巻線部分を含む巻線の一部（一または複数の巻線群）が固定コイルとなり、残余の巻線部分（一または複数の巻線群）を可動コイルとするのである。
【００３３】
【発明の効果】
以上説明したように、本発明に係る偏向ヨークによれば、樹脂枠内面に対して可動な可動コイルが受像管の管軸に向けて付勢されるため、ＹＢＰ調整で偏向ヨークが後退された場合に、当該可動コイルは、当該後退距離に応じてできる受像管との隙間分だけ管軸に近づくこととなる。すなわち、可動コイルは、受像管内の電子ビーム通過領域に近づくこととなる。その結果、ＹＢＰ調整でいずれの位置に調整されても偏向コイルの管軸との距離がほとんど変わらない従来の偏向ヨークと比べて、可動コイルが管軸に近づく分、偏向電力の低減が図られることとなる。
【００３４】
また、本発明に係るカラー受像管装置は、上記した偏向ヨークがカラー受像管の外周に配されているので、上記したのと同様の効果を奏する。
【図面の簡単な説明】
【図１】カラー受像管装置の概略構成を示す側面図である。
【図２】カラー受像管装置を原点からＸ軸方向に少しオフセットしたＹＺ平面で切断した上半部の一部を示す断面図である。
【図３】偏向ヨークを、パネル側から斜め方向にみた斜視図である。
【図４】（ａ）は、可動コイルが取り付けられた状態の付勢部材を示す平面図である。
（ｂ）は、上記図（ａ）におけるＡ・Ａ線断面図である。
【図５】水平偏向コイルと差動コイルの結線図である。
【図６】カラー受像管装置を原点からＸ軸方向に少しオフセットしたＹＺ平面で切断した上半部の一部を示す断面図であって、ＹＰＢ調整中の状態を示す図である。
【図７】他の実施の形態に係るカラー受像管装置をＺ軸を含むＹＺ平面で切断した上半部の一部を示す断面図である。
【符号の説明】
２０，６０    偏向ヨーク
２８，６２    樹脂枠
３６，４０    固定コイル
３８，４２    可動コイル
４４    付勢部材
４６    コイル取付部
４８    弾性支持部
６６    弾性部材
【図１】
2004355855.tif 000003
【図２】
2004355855.tif 000004
【図３】
2004355855.tif 000005
【図４】
2004355855.tif 000006
【図５】
2004355855.tif 000007
【図６】
2004355855.tif 000008
【図７】
2004355855.tif 000009